(57)【要約】【課題】角度が緩やかに変化するようなエッジにおける斜め補間された部分と垂直補間された部分との境目の不自然さを緩和すること。【解決手段】補間処理部は、画像中のエッジの角度を検出し、検出された角度に基づいて、斜めエッジの存在する斜め領域においては斜め補間により補間対象画素の画素値を決定し、斜め領域を除く領域である非斜め領域においては垂直補間により補間対象画素の画素値を決定する。不均一鮮鋭化部は、補間処理部によって走査線の補間された画像中の非斜め領域に対して、走査線に垂直な方向に、斜め領域よりも相対的に強く鮮鋭化処理を施す。【選択図】図１
2009105751.tif 000002
【特許請求の範囲】
【請求項１】
画像信号の走査線を補間するための走査線補間装置であって、
画像中のエッジの角度を検出し、当該検出された角度に基づいて、斜めエッジの存在する斜め領域においては斜め補間により補間対象画素の画素値を決定し、前記斜め領域を除く領域である非斜め領域においては垂直補間により補間対象画素の画素値を決定する補間処理部と、
前記補間処理部によって走査線の補間された画像中の前記非斜め領域に対して、走査線に垂直な方向に、前記斜め領域よりも相対的に強く鮮鋭化処理を施す不均一鮮鋭化部とを備えた、走査線補間装置。
【請求項２】
画像中の走査線に対してほぼ平行に延びるエッジである水平エッジを検出する水平エッジ検出部をさらに備え、
前記不均一鮮鋭化部は、前記非斜め領域の水平エッジ部分に対して、前記斜め領域よりも相対的に強く鮮鋭化処理を施すことを特徴とする、請求項１に記載の走査線補間装置。
【請求項３】
前記水平エッジ検出部は、水平エッジの強さをさらに検出し、
前記不均一鮮鋭化部は、前記非斜め領域において、水平エッジの強さがより強い部分ほど、より強く鮮鋭化処理を施すことを特徴とする、請求項２に記載の走査線補間装置。
【請求項４】
前記不均一鮮鋭化部は、前記非斜め領域の水平エッジ部分に対する鮮鋭化処理の強さを、当該水平エッジ部分に連続する斜め領域までの距離に基づいて変化させることを特徴とする、請求項２に記載の走査線補間装置。
【請求項５】
前記不均一鮮鋭化部は、前記水平エッジ部分における、前記距離が所定のしきい値よりも小さい部分に対して、前記距離が所定のしきい値よりも大きい部分よりも相対的に強く鮮鋭化処理を施すことを特徴とする、請求項４に記載の走査線補間装置。
【請求項６】
画像信号の走査線を補間するための走査線補間方法であって、
画像中のエッジの角度を検出し、当該検出された角度に基づいて、斜めエッジの存在する斜め領域においては斜め補間により補間対象画素の画素値を決定し、前記斜め領域を除く領域である非斜め領域においては垂直補間により補間対象画素の画素値を決定する補間処理ステップと、
前記補間処理ステップで走査線の補間された画像中の前記非斜め領域に対して、走査線に垂直な方向に、前記斜め領域よりも相対的に強く鮮鋭化処理を施す不均一鮮鋭化ステップとを備えた、走査線補間方法。
【請求項７】
画像中の走査線に対してほぼ平行に延びるエッジである水平エッジを検出する水平エッジ検出ステップをさらに備え、
前記不均一鮮鋭化ステップでは、前記非斜め領域の水平エッジ部分に対して、前記斜め領域よりも相対的に強く鮮鋭化処理を施すことを特徴とする、請求項６に記載の走査線補間方法。
【請求項８】
前記水平エッジ検出ステップでは、水平エッジの強さをさらに検出し、
前記不均一鮮鋭化ステップでは、前記非斜め領域において、水平エッジの強さがより強い部分ほど、より強く鮮鋭化処理を施すことを特徴とする、請求項７に記載の走査線補間方法。
【請求項９】
前記不均一鮮鋭化ステップでは、前記非斜め領域の水平エッジ部分に対する鮮鋭化処理の強さを、当該水平エッジ部分に連続する斜め領域までの距離に基づいて変化させることを特徴とする、請求項７に記載の走査線補間方法。
【請求項１０】
前記不均一鮮鋭化ステップでは、前記水平エッジ部分における、前記距離が所定のしきい値よりも小さい部分に対して、前記距離が所定のしきい値よりも大きい部分よりも相対的に強く鮮鋭化処理を施すことを特徴とする、請求項９に記載の走査線補間方法。
【発明の詳細な説明】
【技術分野】
【０００１】
本発明は、画像信号の走査線を補間するための走査線補間装置および走査線補間方法に関する。
【背景技術】
【０００２】
従来、インターレース走査された映像信号を順次走査された映像信号に変換する等の走査線の補間処理を行うための走査線補間装置において、補間対象画素の斜め方向に位置する少なくとも２画素の相関に基づいて補間対象画素の画素値を決定する機能（以下、斜め補間機能と称す）を有する走査線補間装置が存在する（例えば特許文献１参照）。斜め補間機能を有する走査線補間装置によれば、斜めエッジを適切に再現することができる。
【特許文献１】特開平１１−１４６３４６号公報
【０００３】
図８は、斜め補間機能を有する従来の走査線補間装置の構成の一例を示している。この従来の走査線補間装置は、補間処理部９０と、動き検出部９１と、混合部９２とを備えている。補間処理部９０は、フィールド内補間によって補間対象画素の画素値を決定する。動き検出部９１および混合部９２は、いわゆる動き適応型ＩＰ変換機能を提供するものである。
【０００４】
補間処理部９０は、角度検出部９０１と、斜め補間処理部９０２と、垂直補間処理部９０３と、選択部９０４を含む。角度検出部９０１は、補間対象画素の１つ上の走査線の映像信号である上ライン映像信号と、補間対象画素の１つ下の走査線の映像信号である下ライン映像信号を参照し、補間対象画素が斜めエッジ上にあるか否か、および斜めエッジ上にある場合にはその斜めエッジの角度（すなわち、基準方向（例えば水平方向または垂直方向）に対する角度、もしくは傾き）を検出する。なお、補間対象画素が斜めエッジ上にあっても、その斜めエッジの角度が水平に近い場合には、角度を検出することができない。斜め補間処理部９０２は、補間対象画素から見て角度検出部９０１によって検出された角度が示す方向に位置する画素の画素値に基づいて、斜め補間画素値を決定する。垂直補間処理部９０３は、補間対象画素から見て走査線に対して垂直方向に位置する画素の画素値に基づいて、垂直補間画素値を決定する。選択部９０４は、角度検出部９０１によって斜めエッジの角度が検出された箇所については、斜め補間処理部９０２から出力される斜め補間画素値を補間対象画素の画素値として出力し、角度検出部９０１によって斜めエッジの角度が検出されなかった箇所については、垂直補間処理部９０３から出力される垂直補間画素値を補間対象画素の画素値として出力する。
【０００５】
図９は、走査線の補間処理を行う前の映像信号の例である。斜め補間機能を有さない走査線補間装置で図９の映像信号を処理した場合には、垂直補間により走査線が補間されるので図１０に示すように斜めエッジ（ここでは斜めライン）がぼやけてしまう。しかしながら、図８に示すような斜め補間機能を有する走査線補間装置で図９の映像信号を処理した場合には、斜め補間により走査線が補間されるので図１１に示すように斜めエッジがくっきりと表示される。
【発明の開示】
【発明が解決しようとする課題】
【０００６】
しかしながら、斜め補間機能を有する従来の走査線補間装置を用いて、図１２に示すように角度が緩やかに変化するようなエッジを含む映像信号の走査線を補間した場合、エッジにおいて角度が水平に近い部分ではエッジの角度が検出できないため、斜め補間ではなく垂直補間により走査線が補間されることになる。その結果、図１２に示すように、斜め補間された部分は相対的にくっきりと見えるが、垂直補間された部分は相対的にボケて見えるので、それらの境目が不自然に感じられてしまうという問題があった。
【０００７】
それゆえに本発明は、角度が緩やかに変化するようなエッジにおける斜め補間された部分（斜め領域）と垂直補間された部分（非斜め領域）との境目の不自然さを緩和することのできる走査線補間装置および走査線補間方法を提供することを目的とする。
【課題を解決するための手段】
【０００８】
上記目的を達成するために、本発明は以下の構成を採用した。なお、括弧内の参照符号は、本発明の理解を助けるために図面との対応関係の一例を示しているに過ぎず、本発明の範囲を何ら限定するものではない。
【０００９】
本発明の走査線補間装置は、画像信号の走査線を補間するための走査線補間装置であって、補間処理部（１０）と、不均一鮮鋭化部（２０）とを備える。補間処理部は、画像中のエッジの角度を検出し（１１）、当該検出された角度に基づいて、斜めエッジの存在する斜め領域（図４）においては斜め補間により補間対象画素の画素値を決定し（１２）、前記斜め領域を除く領域である非斜め領域（図４）においては垂直補間により補間対象画素の画素値を決定する（１３）。不均一鮮鋭化部は、前記補間処理部によって走査線の補間された画像中の前記非斜め領域に対して、走査線に垂直な方向に、前記斜め領域よりも相対的に強く鮮鋭化処理を施す。
【００１０】
なお、前記走査線補間装置は、画像中の走査線に対してほぼ平行に延びるエッジである水平エッジを検出する水平エッジ検出部（２３）をさらに備え、前記不均一鮮鋭化部は、前記非斜め領域の水平エッジ部分（図４）に対して、前記斜め領域よりも相対的に強く鮮鋭化処理を施してもよい。
【００１１】
また、前記水平エッジ検出部は、水平エッジの強さをさらに検出し、前記不均一鮮鋭化部は、前記非斜め領域において、水平エッジの強さがより強い部分ほど、より強く鮮鋭化処理を施してもよい。
【００１２】
また、前記不均一鮮鋭化部は、前記非斜め領域の水平エッジ部分に対する鮮鋭化処理の強さを、当該水平エッジ部分に連続する斜め領域までの距離に基づいて変化させてもよい。
【００１３】
また、前記不均一鮮鋭化部は、前記水平エッジ部分における、前記距離が所定のしきい値よりも小さい部分に対して、前記距離が所定のしきい値よりも大きい部分よりも相対的に強く鮮鋭化処理を施してもよい。
【００１４】
本発明の走査線補間方法は、画像信号の走査線を補間するための走査線補間方法であって、補間処理ステップと、不均一鮮鋭化ステップとを備える。補間処理ステップでは、画像中のエッジの角度を検出し、当該検出された角度に基づいて、斜めエッジの存在する斜め領域においては斜め補間により補間対象画素の画素値を決定し、前記斜め領域を除く領域である非斜め領域においては垂直補間により補間対象画素の画素値を決定する。不均一鮮鋭化ステップでは、前記補間処理ステップで走査線の補間された画像中の前記非斜め領域に対して、走査線に垂直な方向に、前記斜め領域よりも相対的に強く鮮鋭化処理を施す。
【００１５】
なお、前記走査線補間方法は、画像中の走査線に対してほぼ平行に延びるエッジである水平エッジを検出する水平エッジ検出ステップをさらに備え、前記不均一鮮鋭化ステップでは、前記非斜め領域の水平エッジ部分に対して、前記斜め領域よりも相対的に強く鮮鋭化処理を施してもよい。
【００１６】
また、前記水平エッジ検出ステップでは、水平エッジの強さをさらに検出し、前記不均一鮮鋭化ステップでは、前記非斜め領域において、水平エッジの強さがより強い部分ほど、より強く鮮鋭化処理を施してもよい。
【００１７】
また、前記不均一鮮鋭化ステップでは、前記非斜め領域の水平エッジ部分に対する鮮鋭化処理の強さを、当該水平エッジ部分に連続する斜め領域までの距離に基づいて変化させてもよい。
【００１８】
また、前記不均一鮮鋭化ステップでは、前記水平エッジ部分における、前記距離が所定のしきい値よりも小さい部分に対して、前記距離が所定のしきい値よりも大きい部分よりも相対的に強く鮮鋭化処理を施してもよい。
【発明の効果】
【００１９】
本発明によれば、角度が緩やかに変化するようなエッジにおける斜め補間された部分（斜め領域）と垂直補間された部分（非斜め領域）との境目の不自然さを緩和することができる。
【発明を実施するための最良の形態】
【００２０】
以下では、図面を参照しながら、本発明の種々の実施形態を説明する。
【００２１】
（第１の実施形態）
図１は本発明の第１の実施形態に係る走査線補間装置の構成を示すブロック図である。図１において、走査線補間装置は、補間処理部１０と、不均一鮮鋭化部２０と、動き検出部３０と、混合部４０とを備えている。
【００２２】
補間処理部１０は、上ライン映像信号と下ライン映像信号に基づいて補間映像信号を生成する。具体的には、補間処理部１０は、画像中のエッジの角度を検出し、当該検出された角度に基づいて、斜めエッジの存在する斜め領域においては斜め補間により補間対象画素の画素値を決定し、斜め領域を除く領域である非斜め領域においては垂直補間により補間対象画素の画素値を決定する機能を有する。補間処理部１０の詳細については後述する。
【００２３】
不均一鮮鋭化部２０は、補間処理部１０によって走査線の補間された画像中の非斜め領域に対して、走査線に垂直な方向に、斜め領域よりも相対的に強く鮮鋭化処理を施す。不均一鮮鋭化部２０の詳細については後述する。
【００２４】
動き検出部３０および混合部４０は、いわゆる動き適応型ＩＰ変換機能を提供するものであるが、本発明には特に関連しない公知技術であるため、ここでは詳細な説明は省略する。
【００２５】
次に、図２を参照して、補間処理部１０の詳細を説明する。補間処理部１０は、角度検出部１１と、斜め補間処理部１２と、垂直補間処理部１３と、選択部１４とを含む。
【００２６】
角度検出部１１は、画像中のエッジの角度を検出する。より具体的には、補間対象画素の１つ上の走査線の映像信号である上ライン映像信号と、補間対象画素の１つ下の走査線の映像信号である下ライン映像信号を参照し、補間対象画素が斜めエッジ上にあるか否か、および斜めエッジ上にある場合にはその斜めエッジの角度を検出する。
【００２７】
斜め補間処理部１２は、補間対象画素から見て角度検出部１１によって検出された角度が示す方向に位置する画素の画素値に基づいて、斜め補間画素値を決定する。なお、ここでは上ライン映像信号と下ライン映像信号に基づいて斜め補間を行っているが、上ライン映像信号よりもさらに上のラインの映像信号や、下ライン映像信号よりもさらに下のラインの映像信号も考慮して斜め補間を行ってもよい。斜め補間処理のアルゴリズムとして従来様々なアルゴリズムが考案されているが、本発明においても様々なアルゴリズムを採用することができる。
【００２８】
垂直補間処理部１３は、補間対象画素から見て走査線に対して垂直方向に位置する画素の画素値に基づいて、垂直補間画素値を決定する。なお、ここでは上ライン映像信号と下ライン映像信号に基づいて垂直補間を行っているが、上ライン映像信号よりもさらに上のラインの映像信号や、下ライン映像信号よりもさらに下のラインの映像信号も考慮して垂直補間を行ってもよい。
【００２９】
選択部１４は、角度検出部１１によって斜めエッジの角度が検出された箇所については、斜め補間処理部１２から出力される斜め補間画素値を補間対象画素の画素値として選択し、角度検出部１１によって斜めエッジの角度が検出されなかった箇所については、垂直補間処理部１３から出力される垂直補間画素値を補間対象画素の画素値として選択することにより、補間映像信号を出力する。
【００３０】
ところで、角度検出部１１で検出される斜めエッジの角度は、信頼性にばらつきがある。例えば、コントラストが比較的高い画像の場合には斜めエッジの角度の検出精度は比較的高くなるが、コントラストが比較的低い画像の場合には斜めエッジの角度の検出精度は比較的低くなる。そこで変形例として、角度検出部１１において、検出された斜めエッジの角度の信頼度を算出し、選択部１４において、斜め補間処理部１２から出力される斜め補間画素値と垂直補間処理部１３から出力される垂直補間画素値とを、角度検出部１１において検出された斜めエッジの角度の信頼度に応じて適当な比率で混合して補間対象画素の画素値として出力するようにしてもよい。
【００３１】
次に、図３を参照して、不均一鮮鋭化部２０の詳細を説明する。なお、図３においては、後述する第２および第３の実施形態における不均一鮮鋭化部と区別するために、不均一鮮鋭化部の参照符号を２０ａとしている。
【００３２】
不均一鮮鋭化部２０ａは、鮮鋭化処理部２１と、選択部２２とを含む。
【００３３】
鮮鋭化処理部２１は、補間処理部１０から出力される補間映像信号に対して、走査線に垂直な方向に鮮鋭化処理を施す。一般的に、上ライン映像信号と下ライン映像信号に基づいて走査線を補間すると、水平方向またはそれに近い方向に延びるエッジ（輪郭線または境界線）の部分がボケて見えてしまうが、走査線に垂直な方向に鮮鋭化処理を施すことによって、そのボケをある程度改善することができる。
【００３４】
選択部２２は、角度検出部１１から出力される信号（斜めエッジが検出されたか否かを示す信号）に応じて、補間処理部１０から出力された補間映像信号と鮮鋭化処理部２１によって鮮鋭化された後の補間映像信号のいずれか一方を選択し、出力信号として出力する。具体的には、画像の全領域のうち斜めエッジが検出された領域（以下、斜め領域と称す）については、補間処理部１０から出力された補間映像信号を選択し、斜めエッジが検出されなかった領域（以下、非斜め領域と称す）については、鮮鋭化処理部２１から出力された補間映像信号を選択する。なお、変形例として、前述の選択部１４と同様に、選択部２２においても、斜め補間処理部１２から出力される斜め補間画素値と垂直補間処理部１３から出力される垂直補間画素値とを、斜めエッジの角度の信頼度に応じて適当な比率で混合して出力するようにしてもよい。
【００３５】
図４は、補間処理部１０から出力される補間映像信号によって表示される画像の一部（角度が緩やかに変化するようなエッジの部分）の拡大図である。図４の領域Ａは、角度検出部１１によって斜めエッジの角度が検出された部分（斜め領域）である。領域Ｂおよび領域Ｃは、角度検出部１１によって斜めエッジの角度が検出された部分（非斜め領域）である。領域Ａについては、斜め補間処理部１２によって斜め補間されているため、ＩＰ変換によるボケの度合いは比較的小さい。一方、領域Ｂおよび領域Ｃについては、垂直補間処理部１３によって垂直補間されているため、ＩＰ変換によるボケの度合いは比較的大きい。しかしながら、不均一鮮鋭化部２０ａでは、領域Ｂおよび領域Ｃに対してのみ垂直方向の鮮鋭化処理が施されるので、領域Ｂのボケが改善され、前述したような、境目が不自然に感じられてしまうという問題が改善される。
【００３６】
なお、本実施形態では斜め領域には鮮鋭化処理が施されないが、本発明はこれに限らない。非斜め領域に対して斜め領域よりも相対的に強く鮮鋭化処理が施されさえすれば、境目の不自然さが改善される。
【００３７】
（第２の実施形態）
次に、本発明の第２の実施形態に係る走査線補間装置について説明する。なお、第２の実施形態と第１の実施形態の相違点は、不均一鮮鋭化部２０のみである。したがって、ここでは不均一鮮鋭化部２０についてのみ詳細に説明する。
【００３８】
図５は、第２の実施形態における不均一鮮鋭化部２０ｂの構成を示すブロック図である。図５において、不均一鮮鋭化部２０ｂは、鮮鋭化処理部２１と、選択部２２と、水平エッジ検出部２３とを含む。
【００３９】
鮮鋭化処理部２１は、補間処理部１０から出力される補間映像信号に対して、走査線に垂直な方向に鮮鋭化処理を施す。
【００４０】
水平エッジ検出部２３は、上ライン映像信号と下ライン映像信号（必要に応じて、上ライン映像信号よりもさらに上のラインの映像信号や、下ライン映像信号よりもさらに下のラインの映像信号を加えてもよい）に基づいて、走査線方向またはそれに近い方向に延びるエッジ（水平エッジ）を検出する。水平エッジを検出する方法としては、例えばソーベルフィルタを用いる方法など、公知の任意の技術を利用することができる。水平エッジ検出部２３により、図４の領域Ｂ（水平エッジ部分）が検出される。
【００４１】
選択部２２は、角度検出部１１から出力される信号（斜めエッジが検出されたか否かを示す信号）と水平エッジ検出部２３から出力される信号（水平エッジが検出されたか否かを示す信号）に応じて、補間処理部１０から出力された補間映像信号と鮮鋭化処理部２１によって鮮鋭化された後の補間映像信号のいずれか一方を選択し、出力信号として出力する。具体的には、画像の全領域のうち、斜め領域（図４の領域Ａ）と、水平エッジ部分を除く非斜め領域（図４の領域Ｃ）については、補間処理部１０から出力された補間映像信号を選択し、水平エッジ部分（図４の領域Ｂ）については、鮮鋭化処理部２１から出力された補間映像信号を選択する。
【００４２】
以上のように、第２の実施形態によれば、水平エッジ部分に対して垂直方向の鮮鋭化処理が施されるので、例えば図４に示すような境目の不自然さが改善される。また、水平エッジ部分を除く非斜め領域については鮮鋭化処理が施されないので、水平エッジ部分がより一層くっきりと見え、境目の不自然さがより改善される。
【００４３】
（第３の実施形態）
次に、本発明の第３の実施形態に係る走査線補間装置について説明する。なお、第３の実施形態と第１の実施形態の相違点は、不均一鮮鋭化部２０のみである。したがって、ここでは不均一鮮鋭化部２０についてのみ詳細に説明する。
【００４４】
図６は、第３の実施形態における不均一鮮鋭化部２０ｃの構成を示すブロック図である。図６において、不均一鮮鋭化部２０ｃは、鮮鋭化処理部２１と、混合部２４と、水平エッジ強度検出部２５とを含む。
【００４５】
鮮鋭化処理部２１は、補間処理部１０から出力される補間映像信号に対して、走査線に垂直な方向に鮮鋭化処理を施す。
【００４６】
水平エッジ強度検出部２５は、上ライン映像信号と下ライン映像信号（必要に応じて、上ライン映像信号よりもさらに上のラインの映像信号や、下ライン映像信号よりもさらに下のラインの映像信号を加えてもよい）に基づいて、走査線方向またはそれに近い方向に延びるエッジ（水平エッジ）の強度を検出する。水平エッジの強度を検出する方法としては、例えばソーベルフィルタを用いる方法など、公知の任意の技術を利用することができる。水平エッジ強度検出部２５により、水平エッジの目立ち度合いが分かる。
【００４７】
混合部２４は、角度検出部１１から出力される信号（斜めエッジが検出されたか否かを示す信号）と水平エッジ強度検出部２５から出力される信号（水平エッジの強度を示す信号）に応じて、補間処理部１０から出力された補間映像信号と鮮鋭化処理部２１によって鮮鋭化された後の補間映像信号とを適当な比率で混合し、出力信号として出力する。具体的には、画像の全領域のうち、斜め領域（図４の領域Ａ）については、補間処理部１０から出力された補間映像信号を選択し、非斜め領域（図４の領域Ｂおよび領域Ｃ）については、補間処理部１０から出力された補間映像信号と鮮鋭化処理部２１によって鮮鋭化された後の補間映像信号とを、水平エッジの強度が強いほど後者の比率が高くなるように混合して出力する。
【００４８】
以上のように、第３の実施形態によれば、比較的目立つ水平エッジ部分に対して、垂直方向の鮮鋭化処理がより強く施されるので、比較的目立つ水平エッジ部分がより一層くっきりと見え、境目の不自然さがより改善される。
【００４９】
（第４の実施形態）
次に、本発明の第４の実施形態に係る走査線補間装置について説明する。なお、第４の実施形態と第１の実施形態の相違点は、不均一鮮鋭化部２０のみである。したがって、ここでは不均一鮮鋭化部２０についてのみ詳細に説明する。
【００５０】
図７は、第４の実施形態における不均一鮮鋭化部２０ｄの構成を示すブロック図である。図７において、不均一鮮鋭化部２０ｄは、鮮鋭化処理部２１と、水平エッジ検出部２３と、混合部２６と、境目距離検出部２７とを含む。
【００５１】
鮮鋭化処理部２１は、補間処理部１０から出力される補間映像信号に対して、走査線に垂直な方向に鮮鋭化処理を施す。
【００５２】
水平エッジ検出部２３は、上ライン映像信号と下ライン映像信号（必要に応じて、上ライン映像信号よりもさらに上のラインの映像信号や、下ライン映像信号よりもさらに下のラインの映像信号を加えてもよい）に基づいて、水平エッジを検出する。
【００５３】
境目距離検出部２７は、注目画素から、当該注目画素から見て水平方向に位置する境目（すなわち、図４に示すような、角度が緩やかに変化するようなエッジの部分における斜め補間された部分と垂直補間された部分との境目）までの距離を算出する。より具体的には、境目距離検出部２７は、注目画素と同一走査線上にある最も近い斜め領域（より好ましくは、水平に近い角度の斜めエッジが検出された斜め領域）までの距離を検出する。なお、上記の「注目画素から見て水平方向に位置する境目」とは、典型的には、注目画素と同一走査線上に位置する境目であるが、必ずしもこれに限定されない。一つの変形例として、注目画素と同一走査線上またはこの走査線に隣接する走査線上に位置する境目であってもよい。
【００５４】
混合部２６は、角度検出部１１から出力される信号（斜めエッジが検出されたか否かを示す信号）と水平エッジ検出部２３から出力される信号（水平エッジが検出されたか否かを示す信号）と境目距離検出部２７から出力される信号（境目までの距離を示す信号）に応じて、補間処理部１０から出力された補間映像信号と鮮鋭化処理部２１によって鮮鋭化された後の補間映像信号とを適当な比率で混合し、出力信号として出力する。具体的には、画像の全領域のうち、斜め領域（図４の領域Ａ）と、水平エッジ部分を除く非斜め領域（図４の領域Ｃ）については、補間処理部１０から出力された補間映像信号を選択し、水平エッジ部分（図４の領域Ｂ）については、補間処理部１０から出力された補間映像信号と鮮鋭化処理部２１によって鮮鋭化された後の補間映像信号とを、境目までの距離が近いほど後者の比率が高くなるように混合して出力する。
【００５５】
以上のように、第４の実施形態によれば、水平エッジ部分の特に境目の近い部分に対して垂直方向の鮮鋭化処理がより強く施されるので、水平エッジの境目付近の部分がより一層くっきりと見え、境目の不自然さがより改善される。
【産業上の利用可能性】
【００５６】
本発明によれば、角度が緩やかに変化するようなエッジにおける斜め補間された部分と垂直補間された部分との境目の不自然さを緩和することが可能となるので、例えばインターレース走査された映像信号を順次走査された映像信号に変換する順次走査変換装置に、本発明を好適に適用することができる。
【図面の簡単な説明】
【００５７】
【図１】本発明の第１の実施形態に係る走査線補間装置の構成を示すブロック図
【図２】補間処理部１０の構成を示すブロック図
【図３】第１の実施形態に係る不均一鮮鋭化部の構成を示すブロック図
【図４】角度が緩やかに変化するようなエッジにおける斜め補間された部分と垂直補間された部分との境目を示す図
【図５】第２の実施形態に係る不均一鮮鋭化部の構成を示すブロック図
【図６】第３の実施形態に係る不均一鮮鋭化部の構成を示すブロック図
【図７】第４の実施形態に係る不均一鮮鋭化部の構成を示すブロック図
【図８】従来の走査線補間装置の構成を示すブロック図
【図９】補間処理前の画素値を示す図
【図１０】垂直補間処理結果の画素値を示す図
【図１１】斜め補間処理結果の画素値を示す図
【図１２】従来の走査線補間装置による走査線補間後の画像を示す図
【符号の説明】
【００５８】
１０    補間処理部
１１    角度検出部
１２    斜め補間処理部
１３    垂直補間処理部
１４    選択部
２０、２０ａ、２０ｂ、２０ｃ、２０ｄ    不均一鮮鋭化部
２１    鮮鋭化処理部
２２    選択部
２３    水平エッジ検出部
２４    混合部
２５    水平エッジ強度検出部
２６    混合部
２７    境目距離検出部
３０    動き検出部
４０    混合部
【図１】
2009105751.tif 000003
【図２】
2009105751.tif 000004
【図３】
2009105751.tif 000005
【図４】
2009105751.tif 000006
【図５】
2009105751.tif 000007
【図６】
2009105751.tif 000008
【図７】
2009105751.tif 000009
【図８】
2009105751.tif 000010
【図９】
2009105751.tif 000011
【図１０】
2009105751.tif 000012
【図１１】
2009105751.tif 000013
【図１２】
2009105751.tif 000014